(57)【要約】 【課題】  二次電池を組み立てる際に、組立性が良好な電池パックを提供することを目的とする。【解決手段】  本発明は、扁平6面体の形状である電池コアパック（２）を、電池パックケース（１）に収納する。前記電池パックケース（１）は、前記電池コアパック（２）を収納して、前記電池コアパック（２）の４側面のそれぞれに対向する状態の４側壁が一体に構成されてなる。前記電池パックケース（１）は、２主面のうち、他の１面は開口面（１Ｏ）を備え、他の１面は底面（１Ｕ）を備えた箱型の筐体であり、前記電池パックケース（１）、前記電池パックケース（１）の開口面（１Ｏ）のひとつの角部において、該角部より開口面（１Ｏ）中心に向け延出した延出部（３Ｒ）、（３Ｌ）を備え、前記角部に隣接する前記４側壁のうちの少なくとも一側壁の延出部（３Ｒ）（３Ｌ）側に開口面（１Ｏ）より開口した切り欠き（１１CＲ）、（１１ＣＬ）、（１４C）を有している。【選択図】  図４
2011009006.tif 000002
【特許請求の範囲】
【請求項１】
2主面と４側面から構成される扁平６面体の外観構造を有する電池コアパック（２）と、前記電池コアパック（２）を収納し前記電池コアパック（２）における４側面のそれぞれに対向する状態の４側壁が一体に構成されてなる電池パックケース（１）とを有する電池パックであって、
前記電池パックケース（１）は、前記電池パックケース（１）における２主面のうち、１面は開口面（１Ｏ）を備え、他の１面は底面を備えた箱型の筐体であり、前記電池パックケース（１）の開口面（１Ｏ）の角部において、該角部より開口面（１Ｏ）中心に向け延出した延出部（３Ｒ、３Ｌ）を備え、前記角部に隣接する前記側壁のうちの少なくとも一側壁において延出部（３Ｒ）、（３Ｌ）側に開口面（１Ｏ）より開口した切り欠き（１１CＲ）、（１１ＣＬ）、（１４C）を有することを特徴とした電池パック。
【請求項２】
前記角部に隣接する２つの前記側壁において、前記切り欠き（１１ＣＬ）、（１４C）を備えることを特徴とする請求項１に記載の電池パック。
【請求項３】
前記側壁のひとつにおいて、両端に位置する前記角部より延出する延出部（３Ｒ、３Ｌ）側に前記切り欠き（１１CＲ）、（１１ＣＬ）を備えることを特徴とする請求項２に記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池等の電池をケースに収容し、該電池の露出面及びケースの一部にラベルを貼着することにより構成される電池パックに関する。
【背景技術】
【０００２】
近年、急速に普及しているビデオカメラ，モバイルコンピュータ，携帯電話機等の携帯電子機器の電源としては、円筒状又は直方体状を有し、充放電可能な例えばリチウムイオン二次電池等の非水電解質二次電池が主として用いられている。リチウムイオン二次電池（以下、電池という）の一例として、正極及び負極をセパレータを介して巻回した電極群、並びに非水電解質を、アルミニウム又はアルミニウム合金製であり、直方体状をなすケースに収納して構成されたものがある。前記電池の一側面に、過充電及び過放電を防止するための保護回路、及び電池から外部へ電力を取り出し、又は外部から電力を取り込むための出力端子を有する保護回路基板が配されて電池コアが構成される。保護回路基板と電池との間は接続用のリードにより電気的に接続されている。
【０００３】
前記電池コアの四側面を、絶縁性を有する、例えば合成樹脂製の外装枠で覆い、又は電池コアを例えば合成樹脂製であり、一面が開口したケースに収納することにより、電池パックが得られる。
【０００４】
外装枠を用いる場合、電池コアの両平面と外装枠の一部とをラベルで覆う。ケースを用いる場合、電池コアの露出面にラベルを貼着した上で、ラベルの端部を折り曲げてケースの側板部に貼着することにより電池パックが得られる。また、例えば特許文献１には、円筒形電池の電池収納室においては、電池収容部の少なくとも一側に電池側に向けて外周を押圧保持、するように配置した第一及び、第二の押圧部材を有し、第一の押圧部材が電池接点バネ部材側に位置するように所定間隔を置いては位置してなる。電池収容室において、前記第二の押圧部材は、第一の押圧部材側の端部に傾斜面を形成して構成される。このように、円筒型電池の側面を押圧する第一、第二の押圧部材が開示されている。
【先行技術文献】
【特許文献】
【０００５】
【特許文献１】特開平８−８７９９３号公報
【発明の概要】
【発明が解決しようとする課題】
【０００６】
上述の円筒形電池においては、押圧部は電池側面に接しており、電池収納室開口方向に円筒形電池が飛び出す力が加わった際、押圧部によって確実に円筒形電池を収納室に保持することが難しくなる。また、押圧部が図示された以上に円筒形電池を覆うようにさらに延出し、電池収納室開口面を小さくすると、円筒形電池を電池収納部に装着する際に、円筒形電池が押圧部に接触し押圧部及び、円筒形電池の破損、損傷をきたすことがある。
また、角型電池の場合、電池ケース角部より延出部を設けることで、ケースに挿入された電池を保持することができる。しかし、ケース挿入時に角型電池と延出部とが当接し、両方に負荷（力）がかかるという問題があった。
【０００７】
本発明は、このような問題点を解決するために成されたものであり、二次電池を組み立てる際に、組立性が良好な電池パックを提供することを目的とする。
【課題を解決するための手段】
【０００８】
本発明は、2主面と4側面から構成される扁平6面体の外観構造の形状である電池コアパック２を、電池パックケース１に収納する。前記電池パックケース１は、前記電池コアパック２を収納して、前記電池コアパック２の４側面のそれぞれに対向する状態の４側壁が一体に構成されてなる。前記電池パックケース１は、２主面のうち、他の１面は開口面１Ｏを備え、他の１面は底面１Ｕを備えた箱型の筐体である。前記電池パックケース１は、前記電池パックケース１の開口面１Ｏのひとつの角部において、該角部より開口面１Ｏ中心に向け延出した延出部３Ｒ、３Ｌを備え、前記角部に隣接する前記４側壁のうちの少なくとも一側壁の延出部３Ｒ、３Ｌ側に開口面１Ｏより開口した切り欠き１１CＲ、１１ＣＬ、１４Cを有することを特徴とする。
【０００９】
そして、本発明の請求項２の電池パックにおいて、前記角部に隣接する２つの前記側壁において、前記切り欠き１１ＣＬ、１４Cを備えることを特徴とする。
【００１０】
また、本発明の請求項３の電池パックにおいて、前記側壁のひとつにおいて、両端に位置する前記角部より延出する延出部３Ｒ、３Ｌ側に前記切り欠き１１CＲ、１１ＣＬを備えることを特徴とする。
【発明の効果】
【００１１】
本発明の電池パックにおいて、この電池パックケースに電池コアパックを挿入する際、延出部と電池コアパックとが接触し延出部及び電池コアパックにかかる負荷の低減を図るため、本案は電池パックケースの延出部側の側壁に開口面より開口した切り欠きを有することで、電池パックケースの側壁が弾性変形を可能な形状とした。
すなわち、電池コアパックが挿入されると、第四側壁切り欠き、第一側壁切り欠きによって、延出部３を延出する側壁が弾性変形によって、柔軟に外側へ開くため、電池コアパックと延出部とが、過度に力を加わえることなく、電池コアパックと延出部とが接触することによる負荷(力)を低減しつつ、電池コアパックを電池パックケースに挿入でき、保持することができる。
【００１２】
そして、請求項２においては、角部に隣接する２つの側壁において、切り欠きを備えるので、この角部の延出部が、より小さな力で、変形、変位することができる。よって、電池コアパックを電池パックケースに容易に挿入できる。
【００１３】
更に、請求項３においては、側壁のひとつにおいて、両端に位置する角部より延出する延出部側に切り欠きを備えるので、この側壁において両側に切り欠きを備えることになる。従って、この側壁及び両延出部が、より小さな力で、変形、変位することができる。よって、電池コアパックを電池パックケースに容易に挿入できる。
【図面の簡単な説明】
【００１４】
【図１】本発明の電池パックを示す斜視図である。
【図２】本発明の電池パックケースの斜視図である。
【図３】図２を第三側壁側から見た斜視図である。
【図４】図１を第一側壁側から見た斜視図である。
【図５】本発明の電池パックの分解斜視図である。
【図６】電池コアパックを電池パックケースに装着する方法を示した斜視図である。
【図７】本発明の電池パックに貼り付けられるラベルを上面から見た図。
【図８】本発明の電池パックにラベルを貼り付ける工程及び、電池パックにラベルが貼り付けられた状態を示す図であり、（Ａ）は、電池パックにラベルを貼り付ける工程１を上面より示した図であり、（Ｂ）は、電池パックにラベルを貼り付ける工程２を側面より示した図であり、（Ｃ）は、電池パックにラベルが貼り付けられた状態の６面図を示し、詳細には、(a)は平面図、（b）(c)(d)(e)は各側面図、(f)は底面図である。
【発明を実施するための形態】
【００１５】
以下、本発明の実施例を図面に基づいて説明する。ただし、以下に示す実施例は、本発明の技術思想を具体化するための電池パックを例示するものであって、本発明は電池パックを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
本発明のバッテリパックは、主として携帯機器に装着されて、機器本体に電力を供給する。とくに、本発明は、小型の携帯機器に装着され、安全に使用できる電池パックとして最適な構造を備えている。また、製造工程において、本発明の電池パックケース１に電池コアケースを挿入する際の負荷を低減している。以下、小型携帯機器に使用される電池パックを実施例として詳述するが、本発明は電池パックの用途を特定するものではない。また、図示するような方向を、X軸、Y軸、Z軸方向としている。
【００１７】
電池パックケース１に収納される2主面と４側面から構成される扁平６面体の外観構造を有する電池コアパック２の素電池４は例えば角型平板状（略直方体状の外観形状）をなし、例えばリチウムイオン二次電池等の非水電解質二次電池であり、正極及び負極をセパレータを介して巻回した電極群、並びに非水電解質（図示せず）を、アルミニウム又はアルミニウム合金製の電池ケースに収納して構成される。素電池４の一端面４４には、該一端面４４に対し絶縁状態で負極端子（図示せず）が設けられ、これと対向する一端面４２には、リード取付板４Ｌ１が設けられている。前記負極端子が設けられた部分以外の素電池４の全体が正極（端子）となる。負極端子及びリード板４L取り付け部が備えられている素電池４両端面以外の素電池４表面は、電池パックケース１及びラベルＬが貼付けされることにより、外部との絶縁が図られている。図５に示されるように、素電池４の延在方向側面４１、４３は、湾曲した断面形状（円弧状形状）となっている。
【００１８】
図２は電池パックケース１を示す斜視図である。電池パックケース１はプラスチック材料からなり、電池パックケース１における２主面のうち、１面は開口面１Ｏを備え、他の１面は底面１Ｕを備え、収納される電池コアパック２における４側面２１、２２、２３、２４のそれぞれに対向する状態の４側壁１１、１２、１３、１４が一体に構成されてなる箱型の筐体である（略直方体状の外観形状）。ここで、「４側壁が一体に構成されている」とは、少なくとも素電池を挿入する（取り付ける）際には４側壁がつながった状態にあることをいうものであって、射出成型などを用いて４側壁を一体成型する場合や、予め複数のパーツを接合する場合などを含む。
【００１９】
図２に示すように、電池パックケース１の開口面１Ｏは、電池パックケース１の1主面全体を開口しており、開口面１ＯはＺ軸方向上下に開口されている。
底面１Ｕは、略長方形の底開口面１UOを有しており、Ｚ軸方向上下が開口されている。第二側壁１２と第四側壁１４とは、対向する側面同士であり、Ｙ軸方向からの側面視において略同一の形状である。第二側壁１２及び第四側壁１４のＹ軸方向からの側面視において、第二壁側１２、第四側壁１４の第一側壁１１側端部は、挿入される電池コアパック２の延在方向側面２１の円弧状に対向するように、開口面１Ｏ側より緩やかに湾曲し、円弧状の形状となっている。
【００２０】
電池パックケース１の第一側壁１１には、電池コアパック２の延在方向側面２１が対向して収納される。延在方向側面２１は、円弧状である。そのため、延在方向側面２１が対向して収納され、配置される第一側壁１１も開口面１Ｏ側より緩やかに湾曲し、延在方向側面２１側に突出した円弧状の形状となっている。この形状によって、延在方向側面２１は第一側壁１１によって、押圧保持される。
【００２１】
すなわち、電池パックケース１の第一側壁１１、第二側壁１２の第一側壁１１側端部、第四側壁１４の第一側壁１１側端部が電池コアパック２の延在方向側面２１の円弧状に合わせることにより、第二壁側１２、第四側壁１４と電池コアパック２の延在方向側面２１とが対向して収納された際、隙間や余分なスペースを排し、より安定して電池コアパックを電池ケースで収納できるように形成された構成を有する。
【００２２】
第一側壁１１と底面１Ｕとの連結部に複数の補強リブ１１Rが第一壁側１１と底面１Ｕと両方係るように一体して設けられている。第三側壁１３は、中央に一つの端子窓１３Ｏを備えている。この端子窓１３Ｏによって、保護回路基板４Tの接続端子４ＴＬを露出させることができる。また、第三側壁１３は開口面１Ｏ側より、開口面１Ｏと同一平面に、延出したひさし部１３Hを一体成形した形状となっている。このひさし部１３Hは、両側に延在して、第二側壁１２、第四側壁１４の開口面１Ｏ側において第三側壁１３側端部に連続して一体成形した形状になっている。第三側壁１３は、電池コアパック２の延在方向側面２３に対向して収納される。このひさし部１３Ｈは、電池パックケース１に収納された電池コアパック２の開口面１Ｏ側主面と接触し、電池コアパック２を保持する役割を担うことができる。このような構成により、電池コアパック２を安定性、確実性をもって電池パックケース１に収納、保持される。
【００２３】
図２に示すように、電池パックケース１における２主面のうち、１面はＺ軸方向上下に開口した開口面１Ｏを備え、他の１面は底面１Ｕを備えた箱型の筐体である。電池パックケース１の開口面１Ｏの１つの角部において、該角部より開口面１Ｏ中心に向け延出した延出部３Ｒ、３Ｌを備えている。図２においては、１の角部として第一側壁１１と第二側壁１２における開口面１Ｏ側の角部より延出部３Ｒが延出しており、１の角部として第一側壁１１と第四側壁１４における開口面１Ｏ側の角部より延出部３Ｌが延出している。
【００２４】
図２に示すように、延出部端面３ＤＲは、第一側壁切り欠き端面１１ＣＤＲの延長上にあり、第一側壁切り欠き端面１１ＣＤＲと一体的に形成され連結されている。同様に延出部端面３ＤＬは、第一側壁切り欠き端面１１ＣＤＬの延長上にあり、第一側壁切り欠き端面１１ＣＤＬと一体的に形成され、連結されている。延出部３Ｒは角部より、開口面１Ｏ中心に向け延出しているため、第二側壁１２におけるＸ軸方向逆側の、開口面１Ｏ側端部に延出部端面３ＤＲが連結されている。すなわち、第二側壁１２におけるＸ軸方向逆側の、開口面１Ｏ側端部より延出部端面３ＤＲが延出して、一体的に形成されている。
【００２５】
延出部３Ｌは角部より、開口面１Ｏ中心に向け延出しているため、第四側壁１４におけるＸ軸方向逆側の、開口面１Ｏ側端部に延出部端面３ＤＬが連結されている。すなわち、第四側壁１４におけるＸ軸方向逆側の、開口面１Ｏ側端部より延出部端面３ＤＬが延出して、一体的に形成されている。
【００２６】
すなわち、延出部端面３ＤＲ、３ＤＬは、第一側壁切り欠き端面１１ＣＤＲ、１１ＣＤＬとの連結されている部位においては、延出部端面３ＤＲ、３ＤＬ、は第二側壁１２及び第四側壁１４の側面視における湾曲した形状と略同一形状となる。
さらに、延出部３Ｒ、３Ｌの厚みについては、延出部端面３ＤＲ、３ＤＬは、第一側壁切り欠き端面１１ＣＤＲ、１１ＣＤＬの延長上にあり、第一側壁切り欠き端面１１ＣＤＲ、１１ＣＤＬと一体的に形成され、連結されていることにより、必然的に、第一側壁１１の厚みとほぼ同等のものとなる。また図８より、該延出部３Ｒ、３Ｌは上面視略長方形である。
【００２７】
延出部３Ｒ、３Ｌを延出する二箇所の角部を側壁とする第一側壁１１、第二側壁１２、第四側壁１４のうちの少なくとも一側壁の延出部３Ｒ、３Ｌ側に開口面１Ｏより開口した切り欠きを設ける。実施例においては、第一側壁１１においては、第一側壁切り欠き１１ＣＲ、１１ＣＬを設け、第四側壁１４においては、第四側壁切り欠き１４Ｃを設けている。
【００２８】
第一側壁切り欠き１１ＣＲ、１１ＣＬは、第一側壁１１の端部における開口面１Ｏ側より概略長方形状の開口した切り欠きの形状で設けられている。第一側壁切り欠き１１CＲ、１１ＣＬの凹部の深さ、幅は、電池ケースパックに使用される樹脂からなる側壁が、所望の力にて、所望の変形ができるよう考慮したうえ、適宜設計する。このとき、第一側壁切り欠き１１ＣＲ、１１ＣＬの凹部の深さが深すぎると、第一側壁１１の強度低下となる。また、深さが浅ければ、第一側壁１１の変形できる距離又は幅（弾性量）が減少し、電池ケースパックに電池コアパック２を挿入する際、電池コアパック２の二延在方向側面２１が第一側壁１１と当接して、第一側壁１１に負荷（所望以上の力）がかかり、挿入することが難しくなり、挿入時の負荷（力）低減の効果が得られない。第一側壁１１において、切り欠き１１CＲ、１１ＣＬを形成する第一側壁切り欠き端面１１ＤＲ、１１ＤＬの延長上に延出部３Ｒ，３Ｌの延出部端面３ＤＲ、３ＤＬがあり、第一壁１１側と連続して一体した形状となっている。なお、上述とは異なり、第一側壁切り欠き１１CＲ、１１ＣＬを形成する側壁の延長上に延出部端面３ＤＲ、３ＤＬが無い形状であっても良い。
【００２９】
すなわち、図２において、延出部３Ｒ、３Ｌは第二壁側１２、第四側壁１４のＸ軸方向逆側における端部の開口面１Ｏ側より開口面１Ｏと同一平面に対して延出している。図２、図７に示すように、延出部３Ｒ、３Ｌは上面より見た場合、長方形状であり、板体である。また、この延出部３Ｒ、３Ｌの一方の長辺側は第四側壁１４又は、第二側壁１２と一体している。延出部の一方の短辺側は、第一側壁１１と一体して設けられている。
【００３０】
さらに、図３に示すように第四側壁１４における延出部３Ｌ付近において、長方形状の第四側壁の切り欠き１４Cを有する。第四側壁切り欠き１４Cは、開口面１Ｏより切り欠きが設けられており、上述の第一側壁切り欠き１１CＲ、１１ＣＬと同様に、その深さによって変形できる距離又は幅（弾性変形量）を調整することができる。
【００３１】
図５に示すように、電池コアパック２は、素電池４の一延在方向側面４３に沿う状態に基板ホルダ４Hを介して保護回路基板４Tが設置されている構造である。基板ホルダ４Hの長さは、配置される素電池４の延在方向側面４３の長さと同等の寸法であり、また基板ホルダ４Hの厚み（高さ）は、素電池４の厚みと同等である。基板ホルダ４Ｈは素電池４と設置される反対側の面に、基板及びリード板収納部を設けている。保護回路基板４Tは基板ホルダ４Hに収納されることによって、保護回路基板４Tは確実に位置決めがされ、また保持される。保護回路基板４Tと基板ホルダ４Hとの間において、保護回路基板４Tと接続されるリード板４L及びPTC付きリード板４Pが、配置され、また、保護回路基板４Tと基板ホルダ４Ｈによって狭持される。L字状に折曲されてなるPTC付きリード板４Pの一端部は、保護回路基板４Tに接続され、他端部は素電池４の負極端子に接続される。また、L字状のリード板４Lは、その一端部は保護回路基板４Tに接続されてなり、その他端部は素電池４の負極端子（図示せず）に接続されてなる。
【００３２】
電池コアパック２が電池パックケース１に、収納、配置される方法は図６によって図示される。初めに、矢印に示されるように、電池コアパック２に基板ホルダ４Hを介して保護回路基板４Tが配置されている延在方向側面２３を電池パックケース１の第三側壁１３側内部に収納する。このとき、電池コアパック２の実装部品である保護回路基板４T、リード板４L、PTC付きリード板４P等にストレスをかけないように注意して収納する。
その後、第一側壁１１は、延在方向側面２１側に突出した円弧状の形状となっているため、電池コアパック２の延在方向側面２１が電池パックケース１の第一側壁１１の上端に当接し、第一側壁１１を外側に変形させながら、収納される。電池コアパック２のコアパック一端部２２、コアパック他端部２４（コアパック一端部２２、コアパック他端部２４）が電池ケースの両延出部３Ｒ、３Ｌの延出部端面３ＤＲ、３ＤＬ（厚み方向の面）に当接することによって、第一側壁切り欠き１１CＲ、１１ＣＬ、１４Ｃにより、第一側壁１１、第二側壁１２、第四側壁１４が弾性変形し、延出部３Ｒは第二側壁１２外側へ、延出部３Ｌは第四側壁１４外側へと移動させながら、収納される。すなわち、第一側壁切り欠き１１CＲ、１１ＣＬ、第四側壁切り欠き１４Cは、両延出部３Ｒ、３Ｌがそれぞれ第四側壁１４外側へ、第二側壁１２外側へと移動、変形することを容易にしている。
また、第一側壁切り欠き１１CＲ、１１ＣＬは、電池コアパック２の延在方向側面２１が第一側壁の上端に当接し、第一側壁１１を外側に変形させることを容易にしている。
【００３３】
特に、このとき、第四側壁切り欠き１４C付近の側壁（第一側壁１１、第四側壁１４）が弾性変形することで、電池パックケース１の第二側壁１２と第四側壁１４とが電池パックケース１外側へと変形する負荷（力）を軽減している。実施例には図示しないが、第二側壁１２においても、第四側壁１４と同様の切り欠きがあっても良い。
【００３４】
そして、図１に示すように、電池コアパック２が、電池パックケース１に収納される。図示されるように、収納が完了状態においては、両延出部３の下に、電池コアパック２の上面が位置するので、衝撃等により電池コアパック２が電池パックケース１から抜けだすことを、低減することができる。また、同様に、第一側壁１１は、挿入される電池コアパック２の延在方向側面２１における円弧上に沿わせるように、開口面１Ｏ側より緩やかに湾曲した延在方向側面２１側に突出した円弧状の形状となっている。この形状によって、延在方向側面２１は第一側壁１１によって、押圧保持され、衝撃等により電池コアパック２が電池パックケース１から抜けだすことを、低減することができる。
【００３５】
電池パック５とは、電池コアパック２が電池パックケース１に収納された状態である。
図１、図４が示すように、この電池パック５は２主面と４側面から構成される扁平６面体の外観構造であり、電池パックケース１の開口面１Ｏ及び、底開口面１ＵＯより電池コアパック２の２主面が露出した形状となる。そこで、Ｔ字状のラベルＬによって、電池コアパック２の２主面の露出を防止し、電池コアパック２と外部との絶縁性を向上させる。ラベルLは、可撓性のあるプラスチックシートからなり、片面に接着材が塗布されたものである。
【００３６】
図７に示すように、ラベルＬはＴ字状の形状であり、ラベルＬのＴ字上のラベル縦線部ＬＴの幅は、図１における電池パック５のＹ軸方向における横幅（電池パックケース１の第一側壁１１、第三側壁１３）と概ね同寸法である。また、ラベルＬのＴ字状のラベル横線部ＬＹの幅は、電池パック５の縦幅（電池パックケース１の第二側壁１２、第四側壁１４）と略同寸法である。そして、工程１として、図８（Ａ）が示すように、ラベルＬのＴ字状のラベル横線部ＬＹの中央に、電池パック５の中央が位置するように配置する。さらに、第三側壁１３とラベル横線部ＬＹとが水平になるように配置する。次に、工程２として、図８（Ｂ）の矢印が示す方向に、ラベル横線部ＬＹを第二側壁１２と、第四側壁１４とに係るように、電池パック５の主面に貼り付ける。その後、ラベル縦線部ＬＴを第一側壁１１に係るように電池コアパック５の主面に貼り付ける。また、ラベル縦線部ＬＴにおいて、ラベル切り欠きＬＣが設けられており、ラベル切り欠きＬＣは、第一側壁１１の一部を露出させることにより、ラベルＬが貼り付けられた電池コアパック５を取り扱う際、滑り止めの機能の効果を有している。
【符号の説明】
【００３７】
１      電池パックケース
１Ｏ    開口面
１Ｕ    底面
１ＵＯ  底開口面
１１    第一側壁
１１ＣＲ  第一側壁切り欠き
１１ＣＬ  第一側壁切り欠き
１１ＣＤＲ  第一側壁切り欠き端面
１１ＣＤＬ  第一側壁切り欠き端面
１１Ｒ  補強リブ
１２    第二側壁
１３    第三側壁
１３Ｏ  端子窓
１３Ｈ  ひさし部
１４    第四側壁
１４Ｃ  第四側壁切り欠き
２      電池コアパック
２１    延在方向側面
２２    コアパック一端部（側面）
２３    延在方向側面
２４    コアパック他端部（側面）
３Ｒ    延出部
３Ｌ    延出部
３ＤＲ  延出部端面
３ＤＬ  延出部端面
４      素電池
４１    素電池延在方向側面
４２    素電池端面
４３    素電池延在方向側面
４４    素電池端面
４T    保護回路基板
４ＴＬ  接続端子
４H    基板ホルダ
４L    リード板
4L1    リード取り付け板  ４P    PTC付きリード板
５      電池パック
Ｌ      ラベル
ＬＹ    ラベル横線部
ＬＴ    ラベル縦線部
ＬＣ    ラベル切り欠き
【図１】
2011009006.tif 000003
【図２】
2011009006.tif 000004
【図３】
2011009006.tif 000005
【図４】
2011009006.tif 000006
【図５】
2011009006.tif 000007
【図６】
2011009006.tif 000008
【図７】
2011009006.tif 000009
【図８】
2011009006.tif 000010